(57)【要約】  【課題】  フィラーの飛散、脱落による画質劣化を低減させるとともに、接着剤の選択肢を増やして設計の自由度を高めることができる優れた小型撮像装置を提供する。  【解決手段】  撮像装置１は、入射光を電気信号に変換する半導体撮像素子５と、半導体撮像素子５に入射光を導く結像光学系と、半導体撮像素子５および結像光学系を構成する部材を保持する立体基板２とを備える。立体基板２の内部に半導体撮像素子５、およびレンズ３、および光学フィルタ４によって仕切られた複数の空間が形成される。半導体撮像素子５、およびレンズ３、および光学フィルタ４を立体基板２に接着するために用いられる接着剤６，６Ａ，６Ｂ，６Ｃは、その接着剤が用いられる空間と半導体撮像素子５との距離に応じて、含まれるフィラーの径が異なる。【選択図】  図１
2007067986.tif 000002
【特許請求の範囲】
【請求項１】
入射光を電気信号に変換する半導体撮像素子と、
前記半導体撮像素子に入射光を導く結像光学系を構成する複数の光学部品と、
前記半導体撮像素子および前記光学部品を保持する立体基板と、
を備え、
前記立体基板の内部に前記半導体撮像素子および複数の光学部品によって仕切られた複数の空間が形成され、
前記半導体撮像素子および前記光学部品を前記立体基板に接着するために用いられる接着剤は、その接着剤が用いられる前記空間と前記半導体撮像素子との距離に応じて、含まれるフィラーの径が異なることを特徴とする撮像装置。
【請求項２】
前記半導体撮像素子に近い空間において光学部品の接着に用いられる接着剤は、前記半導体撮像素子から遠い空間において光学部品の接着剤に用いられる接着剤より前記フィラーの径が小さいことを特徴とする請求項１に記載の撮像装置。
【請求項３】
前記フィラーの最大の径は、前記半導体撮像素子の画素ピッチより大きいことを特徴とする請求項１または２に記載の撮像装置。
【請求項４】
前記フィラーの形状は、球形であることを特徴とする請求項１〜３のいずれかに記載の撮像装置。
【請求項５】
前記請求項１〜４のいずれかに記載の撮像装置を備えた携帯電話装置。
【発明の詳細な説明】
【技術分野】
【０００１】
本発明は、半導体撮像素子を用いた小型の撮像装置およびこれを用いた携帯電話装置に関する。
【背景技術】
【０００２】
従来から、特許文献１に記載されているように、レンズを通して入射した光をＣＣＤなどの半導体撮像素子を用いて電気信号に変換し、映像を取り出せるように構成された撮像装置が知られていた。携帯用機器の小型化、高性能化の要求に伴い、撮像装置の小型化、軽量化がより一層求められてきた。このため、それぞれの構成部品を薄くすることによって撮像装置の薄型化が実現されていた。一方、高画質に対する要求と共に画素数が増加されて来たことにより、画素サイズについても小型化が行われてきた。
【０００３】
撮像装置において、撮像素子の欠陥や撮像素子に付着したゴミによって発生する画像の黒点や白点などを通称「キズ」と呼んでいる。撮像素子にゴミが付着してキズが発生しないように、撮像装置の組み立てにおいては、作業環境のクリーン度の向上、洗浄強化、イオナイザーなどによる静電気の除電などが従来から行われていた。また、ゴミなどによってある画素からの出力が低下したような場合には、周辺画素から得られる情報に基づいてその画素の出力を推定し、あたかもその画素が正常に動作しているかのように補正するキズ補正が行われていた。
【０００４】
また、特許文献２には、半導体撮像素子を固定や封止する際に用いる接着剤や封止剤に用いるフィラーの大きさに関して、画質に影響を及ぼさないように、画素サイズに応じた大きさのフィラーを用いることが開示されている。
【特許文献１】特開２００１−２４５１８６号公報（第５頁、図２）
【特許文献２】特開２００４−３２７９１４号公報（第７頁、図６）
【発明の開示】
【発明が解決しようとする課題】
【０００５】
上記した特許文献２に記載された撮像装置では、光学フィルタを接着保持する接着剤のフィラーの径を半導体撮像素子の画素サイズ以下とすることにより、もし、フィラーが接着剤から脱落して半導体撮像素子に付着しても画質劣化を生じない構成とすることができる。
【０００６】
本発明は、上記背景の下、フィラーの飛散、脱落による画質劣化を低減させるとともに、接着剤の選択肢を増し、設計の自由度を高めることができる小型撮像装置を提供することを目的とする。
【課題を解決するための手段】
【０００７】
本発明の撮像装置は、入射光を電気信号に変換する半導体撮像素子と、前記半導体撮像素子に入射光を導く結像光学系を構成する複数の光学部品と、前記半導体撮像素子および前記光学部品を保持する立体基板とを備え、前記立体基板の内部に前記半導体撮像素子および複数の光学部品によって仕切られた複数の空間が形成され、前記半導体撮像素子および前記光学部品を前記立体基板に接着するために用いられる接着剤は、その接着剤が用いられる前記空間と前記半導体撮像素子との距離に応じて、含まれるフィラーの径が異なる構成を有する。
【０００８】
この構成により、接着剤が使用される場所に応じて接着剤に含まれるフィラーの径を決めることができる。すなわち、立体基板の内部に画成された空間に対応して画質劣化の原因となるゴミ、埃などの大きさが異なるので、それぞれの空間に対応してフィラーの大きさを決めることにより、フィラーの脱落による画質劣化を低減すると共に接着剤の選択の自由度を高めることができる。例えば、半導体撮像素子の接着には、熱膨張係数を低くなるように接着剤のフィラーの径を選択し、結像光学系の部材の接着には、強度が高くなるように接着剤のフィラーの径を選択するといったように、用いる場所によって接着剤を選択できるとともに、半導体撮像素子の表面に到達するフィラーを制御することによって画質劣化を低減できる。
【０００９】
本発明の撮像装置において、前記半導体撮像素子に近い空間において光学部品の接着に用いられる接着剤は、前記半導体撮像素子から遠い空間において光学部品の接着剤に用いられる接着剤より前記フィラーの径が小さい。
【００１０】
この構成により、半導体撮像素子の近い空間で用いられる接着剤に含まれるフィラーが小さいので、その空間内で飛散したフィラーが半導体撮像素子の表面に付着した場合の画質劣化を低減できる。また、半導体撮像素子より離れた空間で用いられる接着剤に含まれるフィラーを大きくしても、立体基板内部の空間は光学部品により仕切られているので、フィラーが半導体撮像素子の表面に付着することはなく、撮像素子の画質に与える影響が小さい。従って、フィラーの脱落、飛散等に起因する画質劣化を低減しつつ、接着剤の選択の自由度を高めることができる。
【００１１】
本発明の撮像装置において、前記フィラーの最大の径は、前記半導体撮像素子の画素ピッチより大きい。
【００１２】
この構成により、接着剤の線膨張係数や強度の選択の自由度を高めることができる。
【００１３】
本発明の撮像装置において、前記フィラーの形状は、球形である。
【００１４】
この構成により、接着剤の熱的異方性を低減することができると共に、硬化時における収縮異方性を低減することができる。これにより、立体基板に実装する際の精度向上を図れると共に、撮像装置としての温度異方性を低減して信頼性を向上できる。
【００１５】
本発明の携帯電話装置は、上記の撮像装置を備えた構成を有する。
【００１６】
この構成により、フィラーの脱落などによる画質劣化を低減した撮像装置を用いることができるので、品質の高い画質が得られ、携帯電話装置の品質を向上できる。
【発明の効果】
【００１７】
本発明によれば、接着剤が使用される場所に応じて接着剤に含まれるフィラーの径を決めることにより、フィラーの脱落による画質劣化を低減すると共に接着剤の選択の自由度を高めることができるというすぐれた効果を有する。
【発明を実施するための最良の形態】
【００１８】
以下、本発明の実施の形態に係る撮像装置について図面を参照しながら説明する。可能な場合には、同一の部分には同一の符号を付して重複する説明を省略する。
【００１９】
図１は実施の形態に係る撮像装置１の断面図、図２は撮像装置１を示す斜視図、図３は図２に示す撮像装置１を裏面から見た要部の分解斜視図である。実施の形態に係る撮像装置１は、図１に示されるように、光軸Ｌに沿って配置された非球面レンズ３、光学フィルタ４及び半導体撮像素子５と、これらを保持する立体基板２と、立体基板２に接続されるプリント基板（ＦＰＣ）１０とを有している。本実施の形態において、立体基板２は、半導体撮像素子５を固定する役割を有すると共に光学フィルタ４を保持する保持部材としての役割を兼ね備えている。立体基板２は、筒形の鏡筒部２ａと鏡筒部２ａの一端面に連続する底部２ｂとからなる（図２も参照）。以下の説明においては、鏡筒部２ａ側を上方向、底部２ｂ側を下方向とする。
【００２０】
まず、立体基板２について説明する。鏡筒部２ａは底部２ｂの上面に位置し、上下方向に延在している。底部２ｂは、その下面の中央に凹みが形成されている。また、底部２ｂには光軸Ｌを中心とした開口Ａが形成され、その開口Ａ及び鏡筒部２ａの中空部を光が通過可能である。立体基板２の開口Ａを取り囲む部分８は、ガラス強化ＰＰＡ（ポリフタルアミド樹脂）などによって構成され、光の透過を防ぐため黒色にしてある。底部２ｂの下面には、無電解メッキなどにより必要な配線パターン９ｂが形成されている。この配線パターン９ｂは、半導体撮像素子５をベア実装可能とするため立体基板２の底部２ｂ下面に設けられた接続ランド９ｃと、外部との接続のために立体基板２の底部２ｂの外側に設けられた端子部９ａ（図２参照）とを有している。
【００２１】
非球面レンズ（以下、「レンズ」という）３は、透過率や屈折率などの必要な光学特性を満たすことができる樹脂によって構成されている。本実施の形態においては、レンズ３には日本ゼオン製のゼオネックス（登録商標）を用いている。レンズ３は２枚のレンズ３ａ、３ｂによって構成され、一定の距離より遠方の被写体を結像できる、いわゆるパンフォーカスの構成とされている。ここでは、レンズ３は約３０ｃｍより遠方の被写体に対して焦点が合うようにしてある。なお、レンズ３の構成や特性については、本実施の形態のものに限られず適宜選定することが可能である。レンズ３は、立体基板２の鏡筒部２ａの内周に嵌め込まれ接着固定されている。レンズ３の上方にはレンズ３を固定するとともに所要の開口となる絞り７が接着剤６Ｃにより取り付けられている。接着剤６Ｃは、ＵＶ硬化型の一液性エポキシ接着剤である。接着剤６Ｃに含まれるフィラーは球形で、その大きさは最大径が１０μｍである。
【００２２】
レンズ３は、２枚のレンズの間に施された接着剤６Ｂによって鏡筒部２ａに接着固定されている。接着剤６ＢはＵＶ・熱併用型の一液性エポキシ接着剤である。接着剤６Ｂに含まれるフィラーの大きさは、約５μｍである。
【００２３】
光学フィルタ４は、棚珪酸ガラスからなる基材の片面にＩＲ（Ｉｎｆｒａ Ｒｅｄ）カットコートが施され、他面に反射防止のＡＲ（Ａｎｔｉ Ｒｅｆｌｅｃｔｉｏｎ）コートが施されている。ＩＲカットコートには、例えば二酸化ケイ素（ＳｉＯ2）、酸化チタン（ＴｉＯ2）等が用いられ、基材に蒸着されている。反射防止のためのＡＲコートには、例えば酸化アルミ（Ａｌ2Ｏ3）、フッ化マグネシウム（ＭｇＦ2）、酸化ジルコニウム（ＺｒＯ2）等が用いられ、基材に蒸着されている。基材に棚珪酸ガラスを用いることにより、光学フィルタ４は紫外光の透過を抑制することができる。このような構成により、光学フィルタ４は、可視光領域以外の光の透過を抑制する。
【００２４】
図４は、本実施の形態に係る光学フィルタ４の分光特性を示す図である。図４に見られるように、光学フィルタ４は、約４００ｎｍから約８００ｎｍにおいては透過率をほぼ９３％以上とし、それ以外の帯域においては透過率を充分低くしてあることが分かる。なお、光学フィルタ４の分光特性は、本実施の形態のものに限られず、適宜変更することが可能である。この光学フィルタ４は開口Ａの上側に光軸Ｌに沿って配置され、エポキシ樹脂によるＵＶ硬化型の接着剤６によって立体基板２に固定される。光学フィルタ４は、ＡＲコートが施された面がレンズ３に対向されている。接着剤６にはその特性を改善するためのフィラーが含まれている。接着剤６に含まれるフィラーの大きさは、約３．２μｍの接着剤である。
【００２５】
半導体撮像素子５は、画素数が約１００万の１／４インチＳＸＧＡ形のＣＣＤで、画素サイズは約２．８μｍである。半導体撮像素子５は、立体基板２に設けられた接続ランド９ｃに対してＳＢＢ（Ｓｔｕｄ Ｂｕｍｐ Ｂｏｎｄ）などによる接続方法によりいわゆるフェースダウン実装され、配線パターン９ｂと電気的に接続される。半導体撮像素子５には、ＲＧＢそれぞれの信号出力が得られるように、図１〜図３に図示しないカラーフィルタが用いられおり、それぞれに対応して受光部分が形成されている。半導体撮像素子５は、立体基板２に対して、接着剤６Ａにより固定されている。この接着剤６ＡはＳＢＢにより、配線パターン９ｂとの間に介在させた導電ペースト（図示せず）を介して確実に接続される作用と、ＰＡＤ部（図示せず）を封止する役目も有している。この接着剤６Ａに含まれるフィラーは球形で、その径は約３．２μｍである。接着剤６Ａは、封止の特性を含めて前述の接着剤６とは異なる。
【００２６】
図５は、半導体撮像素子５における色配置の例を示す模式図である。図５において、例えば「Ｒ」で示される部分は、カラーフィルタを透過した赤の波長の光を受光し、これにより「Ｒ」で示される部分は赤の波長の光を検出することができる。同様に、「Ｂ」で示される部分はカラーフィルタを透過した青の波長の光を受光し、「Ｇ」で示される部分はカラーフィルタを透過した緑の波長の光を受光する。半導体撮像素子５は、撮像面（入射面）を光学フィルタ４に対向させると共に底部２ｂの下面の中央付近に開口Ａを覆うように配置されている。上記したように底部２ｂの中央には凹みが形成されているので、下面に取り付けられた半導体撮像素子５はＦＰＣ１０から離隔されている。また、底部２ｂの下面には、図示しないチップ部品なども配置されている。
【００２７】
以上の説明から、本実施の形態における撮像装置１の光学系は、被写体からの光がレンズ３により集光され、可視光領域の光を透過させる光学フィルタ４を通って半導体撮像素子５に入射するように構成されていることが分かる。
【００２８】
立体基板２の下方に設けられたＦＰＣ１０は、厚さ１／２Ｍｉｌ（１２．５μｍ）のポリイミドのベースフィルム１０ａと、厚さ１／３Ｏｚ（１２μｍ）の圧延銅１０ｂとによって構成される。ＦＰＣ１０には、図示しない信号処理のＤＳＰ（Ｄｉｇｉｔａｌ Ｓｉｇｎａｌ Ｐｒｏｃｅｓｓｏｒ）などが設けられている。ＤＳＰは、半導体撮像素子５から出力された電気信号を所要の形式の信号に変換したり、ホワイトバランスや色補正などを処理する機能を有する。ＦＰＣ１０上のランド１３において、立体基板２の端子部９ａと半田１２によって電気的に接続されるとともに機械的にも固定されている。これにより、撮像装置１は、図示しない携帯電話、携帯端末などの機器と接続されている。
【００２９】
また、ＤＳＰは「キズ補正」と呼ばれる機能を有している。「キズ補正」とは、ＣＣＤの欠陥やゴミによって発生する無出力の画素に対応して、その画素の周辺に配置された画素から得られる情報に基づき、欠陥のある画素からの出力を推定して、あたかもその画素が正常に動作しているかのように補正するものである。キズ補正の方法としては、隣接する画素からの出力の平均値を用いる方法や、隣接する画素からの出力値から内装する方法などを用いることができる。また、キズの特定については、ある有限の範囲において対象とする画素からの出力値がある閾値を越えたか、または、別の閾値を下回ったかによって判定する。
【００３０】
この撮像装置１は、以下のように動作する。被写体からの光は、絞り７を通リ、レンズ３によって集光される。続いて、レンズ３で集光された光は光学フィルタ４に入射され、光学フィルタ４によって赤外光及び紫外光がカットされる。光学フィルタ４を透過した可視光は、半導体撮像素子５に入射して所要の電気信号に変換され、変換された電気信号は半導体撮像素子５から出力される。そして、半導体撮像素子５から出力された電気信号は、配線パターン９ｂを経由して底部２ｂに設けられた端子部９ａに導出され、図示しないディスプレイにおいて撮像画像が表示される。ディスプレイは、画面のアスペクト比は４：３であり、３０フレーム／秒のフレームレートで出力されるように構成されている。
【００３１】
図６は、実施の形態に係る撮像装置１の組み立て順序を示す図である。まず、半導体撮像素子５を立体基板２の底部２ｂの下面にセットし（Ｓ１０）、接着剤６Ａによって半導体撮像素子５を接着し、封止する（Ｓ１２、Ｓ１４）。この際、撮像面が開口Ａに対応するように半導体撮像素子５を配置する。図示しない紫外線照射装置によって接着剤６Ａをキュアして硬化させる。照射する紫外線の波長や照射時間などは、接着剤６Ａの硬化状況によって最適化することが望ましい。ＵＶ硬化に熱硬化を行えるように処方された接着剤を用いる場合には、紫外線を照射して硬化開始剤を活性化した後に、加熱して硬化を完了させる。
【００３２】
次に、光学フィルタ４を立体基板２にセットした後に（Ｓ１６）、ディスペンサーなどにより所要量のＵＶ硬化型のエポキシ系接着剤６を光学フィルタ４の周囲に塗布する。接着剤６も接着剤６Ａと同様に、紫外線照射装置によって接着剤６をキュアして硬化させる（Ｓ１８）。これにより、半導体撮像素子５と立体基板２の開口Ａとフィルタ４により隔絶される空間Wができる。この空間に対応するフィラーの大きさは、およそ３．２μｍである。続いて、光学フィルタ４の上方において立体基板２にレンズ３を装着し（Ｓ２０）、接着剤６Ｂによってレンズ３を立体基板２の鏡筒部２ａに接着し、接着剤６Ａと同様にキュアして硬化させる（Ｓ２２）。これにより、レンズ３ｂと光学フィルタ４によって隔絶された空間Ｘができ、レンズ３ａとレンズ３ｂとによって隔絶された空間Ｙができる。空間Ｙに対応するフィラーの大きさは、およそ５μｍである。本実施の形態では、空間Ｘ内では接着剤が用いられていない。
【００３３】
その後、レンズ３を上方から押さえる絞り７を立体基板２の鏡筒部２ａにセットし（Ｓ２４）、接着剤６Ｃにより接着する（Ｓ２６）。最後に、光学フィルタ４や半導体撮像素子５等が取り付けられた立体基板２をＦＰＣ１０上に搭載し、半田１２によって両者を固定して撮像装置１が完成する。
【００３４】
ここで、半導体撮像素子５を立体基板２に接着するための接着剤６Ａについて説明する。上記したように、立体基板２には、ガラス強化ＰＰＡ（ポリフタルアミド樹脂）が用いられており、その線膨張係数は約２５×１０-6／Ｋである。一方、半導体撮像素子５の線膨張係数は約２．３×１０-8／Ｋである。この両者を適切に固定するため、接着剤６Ａには図示しないフィラーが含まれている。フィラーは、接着剤６Ａの線膨張係数が立体基板２の線膨張係数と半導体撮像素子５の線膨張係数との間の値となるようにする。フィラーは、光学用に適するように二酸化ケイ素（ＳｉＯ2）からなる。接着剤６Ａが硬化した後に異方性を有しないように、球形のフィラーを用いることが好ましい。
【００３５】
フィラーの大きさは、その径が３．２μｍのものを用いている。フィラーの含有率については、前述の熱膨張係数などを考慮しながら適宜選択することが可能である。 接着剤６Ａは、ＳＢＢによる接続法における信頼性にも大きく寄与するのでその選定には充分な検討と評価をすることが望ましい。
【００３６】
次に、光学フィルタ４を立体基板２に接着するための接着剤６について説明する。光学フィルタ４の接着に関しては、半導体撮像素子５の場合と異なり、封止の作用は特段必要ないので線膨張係数と強度を主体に選定する。フィラーの大きさは３．２μｍとしてあり、半導体撮像素子５のフィラーよりは大きくしてある。フィラーは、半導体撮像素子５の場合と同様に光学用に適するように二酸化ケイ素を用いている。
【００３７】
次に、レンズ３を立体基板２に接着するための接着剤６Ｂについて説明する。この場合には、レンズ３も立体基板２も樹脂なので線膨張係数が近いために強度を主体に選定する。フィラーの大きさは５μｍとしているが、含有率については、前述の半導体撮像素子５および光学フィルタ４の場合と比べて膨張係数が接着剤に基材に近いために少なくしている。
【００３８】
フィラーの大きさについての説明に先立ってフィラーを含む接着剤に起因する問題点について述べる。接着剤が硬化する際には、接着剤の中に含まれるフィラーが飛散したり、特に端面部分においてフィラーの一部がむき出しになったりすることがある。また、撮像素子５を立体基板２に取付け後に光学フィルタ４や光学系のレンズ３を取付け、ＦＰＣ１０を実装し、必要によってフォーカスの調整工程が行われるが、これらの工程におけるハンドリングや衝撃などによって端面部分におけるフィラーが脱落することがある。そして、飛散、脱落したフィラーが撮像素子５の表面に付着したり、光学フィルタ４の上に乗ったりすることで、画素からの出力を低下させる原因になることが、撮像装置の分析によって明らかになった。特に最近では、撮像装置の小型化に伴って、装置分解のために必要な部分の寸法を確保することが困難となり、分解できない装置が多く見られる。このような撮像装置では、飛散、脱落したフィラーが撮像素子５の表面や光学フィルタ４に付着した場合、撮像装置を廃棄せざるを得ない事態も起きていた。
【００３９】
補正できないキズの原因の一つは、接着剤から脱落、飛散するフィラーである。半導体撮像素子５に近い位置で用いられている接着剤の方が、半導体撮像素子５より遠い位置で用いられる接着剤より影響が大きいことが、撮像装置の分析および解析により明らかとなった。すなわち、同じ大きさのフィラーを含む接着剤であっても、接着剤が用いられる位置が撮像素子表面、光学フィルタ上面、レンズ面というように半導体撮像素子から離れるに従って、画質への影響が小さいことが分かってきた。接着剤から脱落したフィラーが光学部品によって仕切られた空間から出ることはほとんどないので、半導体撮像素子の撮像面を含む空間と異なる空間で用いられる接着剤のフィラーの大きさが画質に与える影響は小さい。
【００４０】
本実施の形態に係る撮像装置１では、接着剤に含まれるフィラーの径が３．２μｍ、３．２μｍ、５μｍ、１０μｍと撮像素子から離れるに従って大きくなるようにしている。また、本実施の形態においては、画素サイズより大きなフィラーを用いている。これにより、画質劣化を低減した撮像装置を実現できるとともに、特に半導体撮像素子５から離れた位置でフィラーの径が大きい接着剤を用いることができるので、接着剤の選択の自由度を高めることができる。
【００４１】
また、本実施の形態によれば、従来から撮像装置に備わっていたＣＣＤの欠陥などによるキズを補正する機能（キズ補正機能）を用いて、フィラーに起因して生じ得る画像の黒点などを補正することができるので、工程・工法・設備などの変更をする必要がない。すなわち、撮像装置組み立ての作業性を低下させることなく、フィラーの脱落に起因する画質劣化を低減させることができる。
【００４２】
さて、次に本実施の形態による撮像装置および、撮像装置の製造方法により作られた撮像装置を携帯電話に実装し落下試験を行った。携帯電話を約１.５ｍの高さよりコンクリートの床に１０回落下させて、撮影した画質の変化を調べる実験を行った。落下させるときの撮像装置の向きは、図１の光軸方向Ｌが下側になるように落下させた。つまり、図１で説明した上方（レンズ側）が下になるようにコンクリートの床に落下させた。試験の結果、１０回の落下の前後で、撮影した画質に実質的な影響を及ぼすような劣化（キズの発生）は確認できなかった。この結果より、フィラーの脱落に起因して生じ得る画像は、少なくともキズ補正によって補正することができる範囲であって、携帯電話の品質を確保することができることが分かった。
【００４３】
図７は、半導体撮像素子からの距離と画像に影響を及ぼすフィラーの大きさの関係を示す図である。このグラフは、実験の結果に基づいて作成した。横軸は、半導体撮像素子からの距離を示す。撮像装置の主な部品である半導体撮像素子５、光学フィルタ４、非球面レンズ３、絞り７の各部品が取り付けられた空間までの距離をとっている。縦軸は、画質劣化が発生したフィラーの大きさ（フィラーサイズ）を示す。本実施の形態では、フィラーの大きさは、フィラーの径により規定している。グラフの点線は前述のキズ補正を行った場合、実線はキズ補正を行っていない場合に画質劣化を生じたフィラーの大きさを示す。グラフより明らかなように、キズ補正によって画質劣化が抑制されているのが分かる。また、キズ補正の有無によらず、画質の劣化を起こすフィラーの大きさは、半導体撮像素子５からの距離によって異なることが理解できる。つまり、半導体撮像素子５からの距離が遠くなるほど、大きいフィラーでないと画質劣化が起きないことを示している。従って、本発明によれば半導体撮像素子５からの距離によって、フィラーの大きさを異ならせることが可能となり、接着剤の選定の自由度を拡大することが可能となる。
【００４４】
以上、本発明の撮像装置について、実施の形態を挙げて詳細に説明したが、本発明は上記実施の形態に限定されるものではない。
【産業上の利用可能性】
【００４５】
以上説明したように、本発明は、接着剤の選択の自由度を高めることができるというすぐれた効果を有し、半導体撮像素子を用いた小型の撮像装置およびこれを用いた携帯電話等として有用である。
【図面の簡単な説明】
【００４６】
【図１】実施の形態に係る撮像装置を示す断面図
【図２】実施の形態に係る撮像装置を示す斜視図
【図３】実施の形態に係る撮像装置の要部の分解斜視図
【図４】実施の形態に係る光学フィルタの分光特性を示す図
【図５】実施の形態に係るＣＣＤにおける画素の色配置の模式図
【図６】実施の形態に係る撮像装置の組立てフローを示す図
【図７】実施の形態に係る撮像装置の画質劣化実験の特性を示す図
【符号の説明】
【００４７】
１  撮像装置
２  立体基板
２ａ  鏡筒部
２ｂ  底部
３  非球面レンズ
４  光学フィルタ
５  半導体撮像素子
６、６Ａ、６Ｂ  接着剤
７  絞り
１０  ＦＰＣ
【図１】
2007067986.tif 000003
【図２】
2007067986.tif 000004
【図３】
2007067986.tif 000005
【図４】
2007067986.tif 000006
【図５】
2007067986.tif 000007
【図６】
2007067986.tif 000008
【図７】
2007067986.tif 000009